(57)【要約】本考案は、堅牢性を増すために、地震フレーム（２）にねじ込まれ、少なくとも地震フレーム（２）を介して床（１２）に固定される耐震サーバラック（１）に関する。
0003138010.tif 000002
【実用新案登録請求の範囲】
【請求項１】
本質的に立方体のフレームを有する耐震サーバラック（１）であって、
床（１２）に固定することができる地震フレーム（２）にさらにねじこまれている、
ことを特徴とする耐震サーバラック（１）。
【請求項２】
前記サーバラック（１）の後部に前記地震フレーム（２）がねじ込まれていることを特徴とする請求項１に記載の耐震サーバラック（１）。
【請求項３】
前記地震フレームは垂直かつ／または水平のケーブル配線のためのケーブル開口部（５）を有することを特徴とする請求項１または２に記載の耐震サーバラック（１）。
【請求項４】
前記地震フレームは前記サーバラック（１）と同じ交差部を有し、その結果、当該交差部は前記サーバラック（１）にねじこまれ、前記地震フレームは前記サーバラックの奥行きを拡張すること、
を特徴とする請求項１から４のいずれか１項に記載の耐震サーバラック（１）。
【請求項５】
前記地震フレーム（２）は突起部（６）を用いて床（１２）にねじこむことができることを特徴とする請求項１から４のいずれか１項に記載の耐震サーバラック（１）。
【請求項６】
前記地震フレーム（２）は前記サーバラック（１）の後部ドア（８）または前部ドア（９）を支えるための蝶番を有することを特徴とする請求項１から５のいずれか１項に記載の耐震サーバラック（１）。
【請求項７】
前記フレームは穴（１０）を有するベースフレーム（９）を有し、前記穴（１０）を通して床（１２）にねじ込むことができる、
ことを特徴とする請求項１から６のいずれか１項に記載の耐震サーバラック。
【請求項８】
前記サーバラック（１）の前部および後部の両方を、前記ベースフレーム（９）を通して床（１２）にねじ込むことができることを特徴とする請求項７に記載の耐震サーバラック（１）。
【請求項９】
前記サーバラック（１）を床（１２）にねじ込むときに前記サーバラック（１）と床（１２）との間にスペーサー（１４）が供給されることを特徴とする請求項１から８のいずれか1項に記載の耐震サーバラック（１）。
【考案の詳細な説明】
【技術分野】
【０００１】
本考案は、本質的に立方体のフレームを有する耐震サーバラックに関する。
【背景技術】
【０００２】
ほとんどのサーバラックは、従来、運搬目的のためのローラーを有し、また、４つの支持脚を有する。支持脚を床にねじ込んだり、支持脚をゆるめてフレームから外したりすることによって、床の凸凹を補償するための支持脚を用いることができる。
【０００３】
計算ユニットやスライドイン型のユニットは、サーバラックのフレームにねじ込まれる。そのフレームは一般的にベースフレーム、角柱、上層部のフレームから形作られる。スライドイン型のユニットは、入れ子式のレールを用いることで、引っ張り出すことができる。
【０００４】
サーバラックは、一般的に、高さ約２ｍ、奥行約１ｍ、幅約７０ｃｍである。
【考案の開示】
【考案が解決しようとする課題】
【０００５】
取り付けられたコンピュータのコンポーネントの重量の結果として、特に、もしコンポーネントが主に胸の高さや目の高さにとりつけられているならば、サーバラックは、一方では、地震の際に極度の荷重を受ける。一方、サーバラックがひっくり返り、ねじ込められたコンピュータユニットやケーブル配線はこの過程ではダメージを受けないという危険がある。
【０００６】
それゆえ、本考案は、単純かつ費用効率の高い方法で生産することができる耐震サーバラックを説明する目的に基づく。
【課題を解決するための手段】
【０００７】
本考案によれば、この目的はサーバラックが床に固定することのできる地震フレームにねじ込まれるという事実によって達成される。
【０００８】
地震フレームとサーバラックとは、好ましくは、サーバラックの前部および／または後部でねじ込まれている。しかし、同様に、それらは、一または両方の壁にねじ込まれることも可能である。
【０００９】
地震フレームは、サーバラックのフレームをかなり強化する。
【００１０】
この場合において、もし地震フレームがサーバラックと同じ交差部を有するのであれば、地震フレームがサーバラックにねじ込まれた後に、地震フレームの奥行によって地震フレームを含むサーバラックの奥行が増加するという結果をともなうことが望ましい。
【００１１】
地震フレームとサーバラックとがねじ込まれることができる場所は、好ましくは、サーバラックの全体のフレームを均一に強化するために、地震フレームとサーバラックとの間の全体の周囲上に設けられる。
【００１２】
地震フレームを床に固定することは、地震フレームを含む全体のサーバラックが地震の際に倒れることを妨げる。
【００１３】
地震フレームは、好ましくは、突起を用いて床にねじ込められる。しかし、別の方法を用いて床に固定しても良い。
【００１４】
ある好ましい実施例によれば、地震フレームはサーバラックの後部に配置され、また、地震フレームはその周囲全体をサーバラックにねじ込まれる。
【００１５】
この実施例では、地震フレームが垂直かつ水平のケーブル配線のためのケーブル開口部を有していれば利点がある。地震フレームは、既にあらかじめ設置することができ、またサーバのキャビネットまたはサーバラックは、単に、地震フレームの上に乗せて後者にねじ込まれなければならないだけだからである。横並びに配置された複数のサーバラックの場合、サーバラックを入れ替えるとき、サーバラック間の水平のケーブル配線がサーバラックのフレームを通してループしておらず、むしろ地震フレームのケーブル開口部を通して引っ張り出せる場合、現在の考案と同様に、常に非常に利点がある。天井部から垂直なケーブル配線のために地震フレームの上面にケーブル開口部を設けるのも好ましい。
【００１６】
地震フレームは、地震フレームと共にサーバラックを設置するとき、それぞれのドアがはずれ、サーバラックが地震フレームにねじ込まれるようにするためだけにサーバラックの前部ドアまたは後部ドアを支えるための蝶番が備わっている。ドアはそれから地震フレームに吊り下げられ、それからまた印象的な全体の視覚の印象と、閉架式のユニットを形成する地震フレームを含むサーバラックとを生成する。地震フレームを含むサーバラックの安定性を増すために、好ましくは穴がサーバラックのベースフレームに設けられ、穴はサーバラックのフレームの前部及び後部の両方が床にねじ込まれることになる。
【００１７】
本考案のさらなる利点や、利点のある改良は、サブクレームおよび以下に示す図面の記載によって公開される。
【考案を実施するための最良の形態】
【００１８】
本考案は図面に示された典型的な実施例への参照によって、以下により詳細に説明される。
【００１９】
図１は互いに隣同士になるように配置され、後部に地震フレーム２が接続されている３つのサーバラック１を示す。
【００２０】
地震フレーム２は最初のサーバラック１の後ろに破線を用いて再度図解される。交差する部分では、地震フレーム２は下側に向かって開放されており、サーバラック１に後ろからねじ込むことができるＵ字形の形状をしている。この目的を達成するために、地震フレーム２は対応する穴３を有し、その穴はサーバラック１の後部にある対応する穴４と合わさる。
【００２１】
地震フレーム２がサーバラック１にねじこめられ、地震フレームがかなり後者を強化し、そしてより安定化し、また地震の影響をより鈍感にするような方法で、地震フレーム２の材料および堅牢さはデザインされる。この目的を達成するために、地震フレーム２は好ましくは鋼鉄から一体成型される。
【００２２】
サーバラック間の水平なケーブル配線を容易にし、上部からのケーブルの供給を容易にするため、地震フレームは、ケーブル開口部５を、横部と上方の中央部とに有する。ケーブル開口部５の構造は、地震フレームがあらかじめ寄せ集められることができ、水平ケーブル配線もまたあらかじめ行うことができるという利点があり、サーバラックは地震フレーム２に対して押され、次のステップで後者に穴３、穴４を経由してねじ込まれる。
【００２３】
床に地震フレームを固定するために、突起物６が地震フレーム上に形成される。突起物は、地震フレーム２を床にねじ込ませる。サーバラック１は一般的に前部ドア７と後部ドア８とを有する。
【００２４】
地震フレーム２がサーバラックにねじ込まれる前に、適切なドアだけがはずされなければならない。そのドアは地震フレーム２の対応する蝶番に再び引っ掛けることができる。例示される典型的な実施例では、これは後部ドア８である。
【００２５】
もし異なった型や異なった奥行のサーバラックが用いられるならば、地震フレーム２を含むサーバラック１の全体の奥行Ｘは、また、異なった奥行を持つ地震フレームを用いることで互いにあわせることができる。
【００２６】
図２はサーバラック１の背後に配置された地震フレーム２を含むサーバラックの線図である。
【００２７】
サーバラックは、本質的に矩形のベースフレーム９を有する立方体のフレームを有する。
地震フレームに加えて、特別丈夫なアンカーを経由してサーバラックを床にねじ込むために使われる穴１０が、同様にベースフレーム９にも供給される。例示された典型的な実施例では、床にねじ込むための３つの穴１０がそれぞれサーバラックの前部および後部両方のベースフレーム９に備えられる。地震フレーム２は、同様に、突起物６の中に穴を有し、穴は同様に特別丈夫なアンカーを経由して地震フレーム２を床にねじ込むために使われる。
【００２８】
専らサーバラックを床にねじ込むことは、多くの場合、地震に対する保護を満足しない。サーバラックは不十分な堅牢さを有し、またサーバラックは小さな地震の際に、サーバラックのフレームが破損するか、またはぽきんと折れる程度にまで変形するからである。
【００２９】
図３は図２から見たＡＡ部を示し、床１２の一部もまた例示されている。ベースフレーム９および地震フレーム２は特別丈夫なアンカー１１を経由して床１２にねじ込まれている。サーバラック１は標準的にはローラー１３および／または支持脚の上にある。ローラー１３は、サーバラックが配置の際に容易にあらかじめ集められた地震フレーム２の上に乗せられることを可能にしている。特別丈夫なアンカー１１を経由してねじ込むときにローラー１３に過度の加重がかかることを避けるために、特にベースフレーム９内の穴１０を経由してねじ込むときに、四辺形のチューブをスペーサー１４として、ベースフレーム９と床１２との間にそれぞれ供給する。
【００３０】
図４は図２から見たＢＢ部を示す。例示された典型的な実施例では、ベースフレーム９は特別丈夫なアンカー１１を経由して３箇所で床１２にねじ込まれる。
【図面の簡単な説明】
【００３１】
【図１】３つのサーバラックの透視図、および破線で示された単一の地震フレームである。これらのサーバラックは互いに隣同士になるように配置され、また、各々が背後に配置された地震フレームを有する。
【図２】地震フレームを有するサーバラックの線図である。
【図３】図２から見たＡＡ部分である。
【図４】図２から見たＢＢ部分である。
【符号の説明】
【００３２】
１      サーバラック
２      地震フレーム
３      穴
４      穴
５      ケーブル開口部
６      突起物
７      前部ドア
８      後部ドア
９      ベースフレーム
１０    穴
１１    頑丈なアンカー
１２    床
１３    ローラー
１４    スペーサー
【図１】
0003138010.tif 000003
【図２】
0003138010.tif 000004
【図３】
0003138010.tif 000005
【図４】
0003138010.tif 000006